(57)【要約】【課題】壁際に立設する間仕切パネルを、それに隣接して配置される間仕切パネルとを、簡易に接続することができ、且つ、壁際の間隙より小さいものとして見目良く間隙を閉塞することのできる接続金具及びパネルの接続構造を提供する。【解決手段】パネルと最も壁際に配置されるパネルとを接合するための接続金具３０を、係合板３１と、該係合板３１の基部３１ｂを回動可能に支承する基台３８とで構成した。前記係合板３１の両面に、一側端部を係合板に略直交する方向に起立してガイド面３２ａを形成したガイド片３２を固設し、前記ガイド面３２ａに沿ってパネルに形成した係合溝３３と係合する上下方向の切欠３１ｃを形成した。係合板３１に固設されたピン３７を基台３８で支承し、ピン３７の端面に操作溝を形成した。前記切欠３１ｃは、開口で幅を最大とし徐々に狭くなるようにした。【選択図】図４
2006037640.tif 000002
【特許請求の範囲】
【請求項１】
パネル側面とパネル側面とを接合するための接続金具であって、
係合板と、該係合板の基部を回動可能に支承する基台とで構成し、
前記係合板の両面にガイド片を固設し、
ガイド片の一側端部を係合板に略直交する方向に起立してガイド面を形成し、
前記ガイド面に沿ってパネルに形成した係合溝と係合する上下方向の切欠を形成した
ことを特徴とするパネル接続金具。
【請求項２】
前記係合板を、基台にピンで支承し、
係合板とピンとを固定して一体的に回動可能とし、
ピンの端面に、工具に嵌合する操作部を形成した
請求項１に記載のパネル接続金具。
【請求項３】
前記切欠を、
係合板の下辺に開口し、係合板の上下方向中途部まで切り欠いたものとするとともに、
切欠のガイド面側縁をガイド面に沿う形状、他側縁をガイド面に向かう斜面形状として、切欠の幅を開口で最大とした、
請求項１又は請求項２のいずれかに記載のパネル接続金具。
【請求項４】
前記切欠に係合するパネルに形成される係合溝を、上下方向に長尺な溝とし、
上部の溝幅をパネル接続金具の係合板の厚みより大きいものとし、
下部の溝幅をパネル接続金具の係合板の厚みと略等しいものとした、
請求項１乃至請求項３のいずれかに記載のパネル接続金具。
【発明の詳細な説明】
【技術分野】
【０００１】
本発明は、間仕切パネル同士を接続するための接続金具及びこの接続金具を用いた間仕切パネルの接続構造に関し、特に、壁際に立設する間仕切パネルとそれに隣接する間仕切パネルとを接合するための技術に関する。
【背景技術】
【０００２】
従来、室内空間を収納家具や間仕切壁にて区切ることにより、間取りを居住者の使いやすいように変更可能とする技術がある。空間を間仕切る収納家具や間仕切壁は可動式とされ、空間の使用形態に応じて収納家具や間仕切壁等を移動して、空間を仕切り直すことができるものとされている。
このように、空間の間取りを変更することができるので、改築することなく生活に応じた間取りに変更したり、居住者が入れ替わる際にはその都度間取りを変更したりすることができるので長期耐用住宅に適しており、また、賃貸マンションに採用すればマンションとしての価値を高めることができる。さらに、特に、集合住宅等においては居住者に応じて各戸の仕様を変更する必要がなく、各戸を同一の間取りに構成することができる。
【０００３】
前記間仕切壁は複数の間仕切パネルを連結して構成される。そのため、従来、間仕切パネルの連結構造に関する様々な技術が発明されている。
例えば、特許文献１に記載の技術であり、この技術では、一方の間仕切パネルの側面にピンを備え、他方の間仕切パネルの側面に鉤状アームを備え、鉤状アームを回転させてピンに掛止させることにより、間仕切パネル同士を接続する。
【０００４】
また、特許文献２では、壁際に配置した間仕切パネルと壁との間隙を閉塞するための技術が公開されている。この技術では、パネルの縦枠にクッション材を取り付けている。クッション材はパネルの側面より進退可能とするとともに、クッション材をパネルの側方へ付勢して、パネルが略水平方向においても突っ張った状態にしている。
【特許文献１】特開２００１−２２０８４５号公報
【特許文献２】実開昭５８−１７７４７２号公報
【発明の開示】
【発明が解決しようとする課題】
【０００５】
間仕切壁と室内空間の壁との間に間隙が存在すれば、室内空間の機密性を低下させることになり、遮音性や断熱性等を備えることが難しくなる。しかし、間隙無く間仕切パネルを立設させる作業は困難である。
よって、上述のような間仕切パネルを接続して間仕切壁を形成する際に、壁際に配置するパネルの設置方法及びその構造が、課題となる。
【０００６】
また、上述のような間仕切パネルの立設・接続は、専門の技術を有する業者等によらず、居住者自身で行えることが好ましい。業者に依頼することにより費用が発生するため、一度間仕切壁により空間の画成を行うと、そのままになってしまいがちであり、可動である利点を発揮することができないためである。そのためには、間仕切壁の施工、すなわち、間仕切パネルの立設及び接続が簡易であり、且つ、施工の仕上がりに差ができないような構造であることが望まれる。
【０００７】
そこで、本発明では、上記従来技術等に鑑み、壁際に立設する間仕切パネルと、それに隣接して配置される間仕切パネルとを接合するにあたって、接続作業が簡易であり、且つ、壁際の間隙を見目良く閉塞することのできる、パネル接続金具及びこれを用いた間仕切パネルの接続構造を提供する。
【課題を解決するための手段】
【０００８】
本発明の解決しようとする課題は以上の如くであり、次にこの課題を解決するための手段を説明する。
【０００９】
即ち、請求項１においては、パネル側面とパネル側面とを接合するための接続金具であって、係合板と、該係合板の基部を回動可能に支承する基台とで構成し、前記係合板の両面にガイド片を固設し、ガイド片の一側端部を係合板に略直交する方向に起立してガイド面を形成し、前記ガイド面に沿ってパネルに形成した係合溝と係合する上下方向の切欠を形成したものである。
【００１０】
請求項２においては、前記係合板を、基台にピンで支承し、係合板とピンとを固定して一体的に回動可能とし、ピンの端面に、工具に嵌合する操作部を形成したものである。
【００１１】
請求項３においては、前記切欠を、係合板の下辺に開口し、係合板の上下方向中途部まで切り欠いたものとするとともに、切欠のガイド面側縁をガイド面に沿う形状、他側縁をガイド面に向かう斜面形状として、切欠の幅を開口で最大としたものである。
【００１２】
請求項４においては、前記切欠に係合するパネルに形成される係合溝を、上下方向に長尺な溝とし、上部の溝幅をパネル接続金具の係合板の厚みより大きいものとし、下部の溝幅をパネル接続金具の係合板の厚みと略等しいものとしたものである。
【発明の効果】
【００１３】
本発明の効果として、以下に示すような効果を奏する。
【００１４】
請求項１においては、パネルを立設するときには、パネル内部に接続金具を収め、パネルを立設したのち、パネル同士を接続する際に接続金具の係合板を基台に対して回転させてパネル側方に突出させることができる。また、係合板の回転によって、パネルに形成された係合溝に係合板の切り欠きを係止させることができる。よって、壁際のパネルを立設する際に必要な幅をパネルの幅に近づけることができ、壁際のパネルと壁との間隙をより小さくすることができる。
【００１５】
請求項２においては、パネルを立設した状態で、パネルの外側から接続金具の係合板を回転操作させることができる。
【００１６】
請求項３においては、係合溝において接続金具を下方向に移動させるに伴って、接続金具とパネルとの係合を密にすることができ、また、パネルを他方のパネルに近づけることができる。
【００１７】
請求項４においては、係合溝に接続金具が挿入しやすく、また、係合溝において接続金具を下方向に移動させるに伴って、接続金具とパネルとの係合を密にすることができる。
【発明を実施するための最良の形態】
【００１８】
次に、発明の実施の形態を説明する。
図１は本発明の実施例に係る間仕切パネルの全体的な構成を示す側面断面図、図２は間仕切パネルの上部構造を示す側面断面図、図３は間仕切パネルの下部構造を示す側面断面図である。
図４は接続金具で間仕切パネル同士を接続した様子を示す平面断面図、図５は接続金具の平面図、図６は接続金具の正面図、図７は間仕切パネル側面に設けた係合溝を示す図である。
図８は間仕切パネル側方に間仕切パネルを立設した様子を示す図、図９は間仕切パネル側面に間仕切パネルを接続した様子を示す図である。
【００１９】
本発明の実施例に係る間仕切パネルの構造から説明する。
図１に示す如く、間仕切パネル１１は天井レール１２と床用ランナー１３との間に配設される。間仕切パネル１１の表裏に設けた化粧板２１・２１間において、間仕切パネル１１の上端辺には天井レール１２と係合する係合機構１５が設けられる。
天井レール１２は天井面に固定され、この天井レール１２の直下において、床用ランナー１３が床に固定される。間仕切パネル１１はその上端を天井レール１２に係合させるとともに上方へ押し上げた状態で、床用ランナー１３上に載置して、設置する。すなわち、間仕切パネル１１は、天井と床との間に突っ張った状態に立設される。
そして、間仕切パネル１１の下部には、間仕切パネル１１の下部の保護を行うとともに床の収まりをよくするために、巾木固定部材１９を介して巾木１４が取り付けられる。
【００２０】
、
図２も示す如く、間仕切パネル１１の上辺において化粧板２１・２１間には上部フレーム４１が介装されている。上部フレーム４１には、天井レール１２に間仕切パネル１１の上辺を係合させるための係合機構１５が備えられている。係合機構１５として、間仕切パネル１１の上端辺に設けられた上部フレーム４１内に、弾性部材２４によって上方へ突出する方向に付勢された突起部材２３が設けられる。該突起部材２３が、間仕切パネル１１の実質的な上端片を形成しており、突起部材２３は間仕切パネル１１内に上下方向に進退可能とされている。
【００２１】
間仕切パネル１１を設置する際には、天井レール１２に間仕切パネル１１の突起部材２３を係止させ、上方へ間仕切パネル１１を押し上げると、弾性部材２４が縮んで突起部材２３がパネル内部に後退する。この係合機構１５によって、間仕切パネル１１と自然長にある突起部材２３と脚１６とを合わせた上下高さが、天井高より大きくして、天井レール１２と床用ランナー１３との間に立設される。また、間仕切パネル１１を設置後は、弾性部材２４により突起部材２３が上方へ付勢されることにより、間仕切パネル１１が天井レール１２と床用ランナー１３との間で上下方向に突っ張った状態に立設されることになる。
【００２２】
一方、図３にも示す如く、間仕切パネル１１の表裏に設けた化粧板２１・２１間において、板状体の下端辺には下部フレーム４２が設けられており、該下部フレーム４２に床用ランナー１３と係合する複数の脚１６・１６・・・が設けられている。
脚１６には、長さ調節機構１７が設けられている。前記下部フレーム４２下面にナット４２ａが固設されて、ボルト孔が形成されている。このナット４２ａに、脚１６を構成する螺子部１７ａが螺入されている。螺子部１７ａには操作用のナット１７ｂが固設されており、該ナット１７ｂを回転操作して螺子部１７ａを回転させることにより、脚１６はパネル内部より上下方向に進退可能とされている。従って、間仕切パネル１１を設置する際に、立設された間仕切パネル１１の脚１６を更に伸張させることにより、間仕切パネル１１は天井レール１２と床用ランナー１３との間でより強固に突っ張った状態となる。
【００２３】
また、図１に示す如く、間仕切パネル１１の下面と床との間、すなわち、脚１６によって形成された間仕切パネル１１下面と床との間隙に、巾木固定部材１９が嵌入される。巾木固定部材１９は間仕切パネル１１下辺と床用ランナー１３とに係合するように形成されている。そして、巾木固定部材１９に形成された溝に巾木１４に形成された突起が嵌合され、間仕切パネル１１下部に巾木１４が固定される。
【００２４】
上述の如く構成される間仕切パネル１１は、複数枚を並設することによって、室内空間を間仕切ることができる。隣接する間仕切パネル１１と間仕切パネル１１は、接続金具を用いて接続される。
【００２５】
図４乃至図６に示す如く、接続金具３０は、係合板３１と、該係合板３１を回動可能に支所する基台３８とで構成されている。
【００２６】
前記係合板３１は、一辺に開口する接続用切欠３１ｃを設けた接続部３１ａと、基台３８に回転可能に支承される基部３１ｂとが、一体的に平板状に形成されたものである。そして、接続部３１ａと基部３１ｂとの間において、係合板３１の両面に平面視Ｌ字状の補強ガイド片３２が固設されている。
前記係合板３１の基部３１ｂには、支承ピン３７が挿通されるピン孔３１ｄが穿設される。
【００２７】
前記補強ガイド片３２は、係合板３１に接合される部分と、該係合板３１に直交する方向に起立するガイド面３２ａとで形成される。補強ガイド片３２を係合板３１に接合することで係合板３１の剛性を高めるとともに、ガイド面３２ａが間仕切パネル１１の側面に当接することによって、接続金具３０の係合板３１の面方向及びこれに直行する方向の振れを抑制し、より安定した状態で接続金具３０を間仕切パネル１１に係止させることができるようにしている。
【００２８】
前記係合板３１の接続部３１ａに形成された接続用切欠３１ｃは、別の間仕切パネル１１の側面に設けられた係合溝３３の縁に係合して、パネル同士を接続するための切り欠きである。
接続用切欠３１ｃは、係合板３１に固定された補強ガイド片３２のガイド面３２ａよりも係合板３１の側辺側の直ぐ側部に設けられる。接続用切欠３１ｃのガイド面３２ａ側の縁３１ｃｂは、ガイド面３２ａに沿う形状であり、他側の縁３１ｃａは、開口からガイド面３２ａ側へ傾いた斜面形状としている。すなわち、接続用切欠３１ｃは、その開口において幅が最大であり、開口から係合板３１の略中心部へ向かって切り欠きの幅が狭くなるようにテーパーが設けられる。
【００２９】
前記基台３８には、支承ピン３７を挿通するピン孔３８ｅが形成された支承部３８ａ・３８ａと、間仕切パネル１１の側面に設けられた側部フレーム３４Ｅに固定するための固定部３８ｃ・３８ｃと、対峙する支承部３８ａ・３８ａ間を接続する基部３８ｂとが、一体的に形成される。
【００３０】
対峙する支承部３８ａ・３８ａ間には、係合板３１の基部３１ｂが配置される。基台３８の支承部３８ａ・３８ａに設けられたピン孔３８ｅ・３８ｅと、係合板３１の基部３１ｂに設けられたピン孔３１ｄとに、支承ピン３７が挿通され、基台３８に係合板３１が回動可能に支承される。支承ピン３７と係合板３１とは固設され、係合板３１は支承ピン３７を中心として一体的に回動する。
前記支承ピン３７の一側端面には、工具４５で支承ピン３７を回動操作可能に、工具４５の頭部形状に合致した操作溝３７ａが形成される。すなわち、工具４５の頭部を操作溝３７ａに合わせて、該工具４５にて支承ピン３７を回動操作すると、係合板３１が回動操作される。本実施例ではプラス形状の溝として、プラスドライバーで回動操作できる構成としているが、マイナス形状の溝としてマイナスドライバーで操作したり、六角の穴として六角レンチで操作したり、操作溝３７ａの代わりにピン３７にボルトを固設してボックスドライバーやレンチ等で操作することもできる。
【００３１】
前記接続金具３０は、図４に示す如く、主に、最も壁際に配置される間仕切パネル１１Ｅまたは最終段階で仕切り壁による空間を閉じる時に使用する間仕切りパネル１１Ｅの側端面に設けられた側部フレーム３４Ｅに、基台３８の固定部３８ｃ・３８ｃが、固定部材３９・３９にて固定されている。壁際間仕切パネル１１Ｅには、側部フレーム３４Ｅと化粧板２１を貫通する操作孔４４が穿設されている。該操作孔４４により、前記接続金具３０の支承ピン３７に形成された操作溝３７ａが壁際間仕切パネル１１Ｅ外部に露出され、壁際間仕切パネル１１Ｅ内部に配置された操作溝３７ａを操作して係合板３１を回動操作することができるようにしている。
【００３２】
一方、接続される間仕切パネル１１の側端面には、該間仕切パネル１１の両側に設けられた化粧板２１・２１間に側部フレーム３４が介設されており、該側部フレーム３４には、接続金具３０の係合板３１の接続部３１ａが挿入される係合溝３３が設けられている。該係合溝３３の縁には、係合板３１の接続用切欠３１ｃが係合する。
【００３３】
前記側部フレーム３４の側面には上下方向に複数の係合溝３３・３３・・・が形成される。図７に示す如く、前記係合溝３３は、上下方向を長手方向とする溝であり、その上部に接続金具３０の係合板３１の厚さよりも幅の広い挿入部３３ａが設けられており、また、その下部に接続金具３０の係合板３１の厚みと略等しい幅の固定部３３ｃが設けられており、挿入部３３ａと固定部３３ｃとの間にはテーパー部３３ｂが形成される。
【００３４】
なお、図４及び図７に示す如く、前記側部フレーム３４には、係合溝３３の両側方にパッキン３６・３６を固定するための溝３５・３５が形成される。溝３５は間仕切パネル１１の上下間に亘って上下方向に延在しており、ここにパッキン３６が挿入される。該パッキン３６が、接続される間仕切パネル１１と壁際間仕切パネル１１Ｅとの間に介装されることによって、パネル間の間隙を閉塞するとともに、密閉性を高めて、間仕切壁により仕切られる空間と空間との間で音の漏れや気体の往来の抑制が図られる。
【００３５】
上述の如く構成される接続金具３０を用いた、間仕切パネル１１と壁際間仕切パネル１１Ｅとの接続構造を、接続する手順に沿って説明する。
なお、壁際間仕切パネル１１Ｅは、間仕切壁を構成する間仕切パネル１１のうち、最も壁寄りに配置される間仕切パネル１１に使用されるが、壁間の中央に配置することもできる。間仕切パネル１１と壁際間仕切パネル１１Ｅとは、パネルとしてはいずれも同様の構造であり、接続する側部フレーム３４・３４Ｅの形状のみが異なる。
【００３６】
図８に示す如く、間仕切パネル１１と壁際間仕切パネル１１Ｅとを隣接して立設する。なお、間仕切パネル１１と壁際間仕切パネル１１Ｅとの立設手順は同様である。
間仕切パネル１１を傾けた状態でその上端辺を天井レール１２に押し当て、上方へ間仕切パネル１１を押し上げて突起部材２３をパネル内へ押し縮めた状態で、脚１６を床用ランナー１３に載置する。そして、脚１６の長さ調節機構１７で、脚の長さを伸ばして、より間仕切パネル１１を上下方向に突っ張った形に立設する。
なお、この状態において、接続金具３０の係合板３１は、補強ガイド板３２のガイド面３２ａが略水平方向である状態にあり、壁際間仕切パネル１１Ｅの内部に位置している。
また、間仕切パネル１１と壁際間仕切パネル１１Ｅとが立設された状態において、壁と１１Ｅとの間には間隙ΔＷが存在する。
【００３７】
そして、工具４５の頭部を、操作孔４４に挿入して、接続金具３０の操作溝３７ａに当接させ、支承ピン３７を回転することにより、係合板３１を約９０度回転させ、該係合板３１を側方へ突出させる。
【００３８】
この接続金具３０の係合板３１の回転によって、係合板３１の接続部３１ａが、係合溝３３の挿入部３３ａに挿入され、やがて、側部フレーム３４の係合溝３３の周囲に補強ガイド片３２のガイド面３２ａが当接して、係合溝３３に接続用切欠３１ｃが位置合わされた状態となる。
さらに、接続金具３０の係合板３１の回転を同方向へ回転させると、ガイド面３２ａにガイドされて、係合板３１は係合溝３３内を挿入部３３ａからテーパー部３３ｂを通過して固定部３３ｃに至り、係合溝３３の下縁に接続用切欠３１ｃが係合する。
これにより、接続金具３０にて間仕切パネル１１と壁際間仕切パネル１１Ｅとが接続される。このとき、接続金具３０の係合板３１では、補強ガイド板３２のガイド面３２ａが略垂直方向であって側部フレーム３４の係合溝の周囲に当接した状態にあり、接続部３１ａが間仕切パネル１１Ｅの内部に位置している。
【００３９】
なお、接続用切欠３１ｃのガイド面３２ａと反対側の縁３２ｃａの形状がガイド面３２ａに向かう斜面であることによって、接続用切欠３１ｃが係合溝３３を下方へ移動するに伴って、係合溝３３の下縁が徐々に補強ガイド片３２側へ引き寄せられることになる。従って、間仕切パネル１１と壁際間仕切パネル１１Ｅとが、徐々に引き合って近づいて行く。
また、係合溝３３では、挿入部３３ａから固定部３３ｃに行くにしたがって溝幅が狭まることによって、接続金具３０が係合溝３３を下方へ摺動するに伴って、係合溝３３を形成した側部フレーム３４に接続金具３０が徐々に密に固定される。
【００４０】
上述の如く、接続金具３０にて間仕切パネル１１と壁際間仕切パネル１１Ｅとを接続するので、壁際間仕切パネル１１Ｅを立設するために、該壁際間仕切パネル１１Ｅに隣接配置される間仕切パネル１１と壁との間に必要となる幅は、ほぼ壁際間仕切パネル１１Ｅの幅に近いものとすることができる。
【００４１】
そして、間仕切パネル１１と壁際間仕切パネル１１Ｅとを接続金具３０にて接続したあとに、壁際間仕切パネル１１Ｅと壁との間隙に、閉塞部材４３を挿入する。閉塞部材４３は、壁際間仕切パネル１１Ｅと壁との間隙ΔＷよりも大きな幅を有し、弾性を有する部材であって、圧縮された状態で壁際間仕切パネル１１Ｅと壁との間に介装され、膨張しようとすることにより、間隙を密に閉塞する。
最後に、間仕切パネル１１や壁際間仕切パネル１１Ｅの下部に巾木固定部材１９・１９・・・を取り付けて、巾木１４を固定する。
【００４２】
上述の壁際間仕切パネル１１Ｅの立設・接続方法によれば、パネル自身の構造を複雑なものとすることなく、壁際間仕切パネル１１Ｅと壁との間隙ΔＷをより小さいものとすることができる。これにより、複数の間仕切パネル１１を接続して構成する間仕切壁の収まりを良くすることができる。
また、この壁際間仕切パネル１１Ｅの立設・接続方法は、特殊な技術を要せず、簡易な作業であるので、誰が作業したとしても仕上がりに差が生じ難い。
【図面の簡単な説明】
【００４３】
【図１】本発明の実施例に係る間仕切パネルの全体的な構成を示す側面断面図。
【図２】間仕切パネルの上部構造を示す側面断面図。
【図３】間仕切パネルの下部構造を示す側面断面図。
【図４】接続金具で間仕切パネル同士を接続した様子を示す平面断面図。
【図５】接続金具の平面図。
【図６】接続金具の正面図。
【図７】間仕切パネル側面に設けた係合溝を示す図。
【図８】間仕切パネル側方に間仕切パネルを立設した様子を示す図。
【図９】間仕切パネル側面に間仕切パネルを接続した様子を示す図。
【符号の説明】
【００４４】
１１  間仕切パネル
１１Ｅ  壁際間仕切パネル
１２  天井レール
１３  床用ランナー
１４  巾木
２５  壁見切
３０  接続金具
３１  係合板
３１ｃ  接続用切欠
３２  補強ガイド片
３３  係合溝
３４  側部フレーム
【図１】
2006037640.tif 000003
【図２】
2006037640.tif 000004
【図３】
2006037640.tif 000005
【図４】
2006037640.tif 000006
【図５】
2006037640.tif 000007
【図６】
2006037640.tif 000008
【図７】
2006037640.tif 000009
【図８】
2006037640.tif 000010
【図９】
2006037640.tif 000011